(57)【要約】【課題】検波回路においては、ダイナミックレンジを拡大するために外部制御回路を用いており、回路構成が複雑化していた。【解決手段】本発明の検波回路は、入力端子４から入力された信号が可変減衰器１において減衰され、増幅器２において増幅されて検波器３に入力され、そして検波器３において検波されて出力電圧が出力端子５に出力すると共に、可変減衰器１にフィードバックする回路構成とした。以上のように検波器の出力を検波回路の入力に設けた可変減衰器へフィードバックして検波器の出力が大きくなるにつれて可変減衰器の減衰量が大きくなる構成としたことによって可変減衰器への外部制御無しにダイナミックレンジが大きく簡略な検波回路を構成することができる。【選択図】  図１
2004350079.tif 000002
【特許請求の範囲】
【請求項１】
可変減衰器と、その出力を増幅する増幅器と、その出力に接続された検波器とからなる検波回路において、検波器の出力を可変減衰器にフィードバックする構成とした検波回路。
【請求項２】
検波器としてダイオードを用いた平均値検波器で構成した請求項１に記載の検波回路。
【請求項３】
可変減衰器の入出力インピーダンスのリターンロスが共に１０ｄＢ以上である請求項１に記載の検波回路。
【請求項４】
検波器と可変減衰器の間に電流供給用デバイスを接続した請求項１に記載の検波回路。
【請求項５】
検波器の出力端子に電流供給用デバイスを接続し、この電流供給用デバイスの出力を可変減衰器にフィードバックする構成とした請求項１に記載の検波回路。
【発明の詳細な説明】
【０００１】
【発明の属する技術分野】
本発明は移動体通信用無線機器に用いる検波回路に関するものである。
【０００２】
【従来の技術】
従来の検波回路ブロック図を図７に示す。入力端子１１０から入力される入力信号を減衰する第１の可変減衰器１０１と、この第１の可変減衰器１０１の出力信号を増幅する増幅器１０２と、この増幅器１０２の出力信号を検波する検波器１０３と、この検波器１０３の出力信号を平滑化する平滑回路１０４と、この平滑回路１０４からの出力値と基準値を比較して前記第１の可変減衰器１０１に減衰量をコントロールする電圧を出力する比較器１０６とを備える自動出力制御装置において、前記増幅器１０２と検波器１０３の間に第２の可変減衰器１０７を配置し、この第２の可変減衰器１０７に出力レベル制御入力１１２から出力レベル制御信号を与えることにより、出力端子１１１への出力を制御してダイナミックレンジを大きくした検波回路を構成していた。
【０００３】
なお、この出願の発明に関する先行技術文献情報としては、例えば特許文献１が知られている。
【０００４】
【特許文献１】
特開平８−１２５４７１号公報
【０００５】
【発明が解決しようとする課題】
しかしながら、ダイナミックレンジを大きくした上記従来の検波回路は可変減衰器の減衰量を外部から制御するための制御回路が必要であり、回路構成が複雑化していた。
【０００６】
本発明は上記従来の課題を解決するもので、ダイナミックレンジが大きく回路構成の簡略な検波回路を提供することを目的とするものである。
【０００７】
【課題を解決するための手段】
本発明の請求項１に記載の発明は、可変減衰器と、その出力を増幅する増幅器と、その出力に接続された検波器とからなる検波回路において、検波器の出力を可変減衰器にフィードバックする構成とした検波回路であり、可変減衰器への外部制御が不要なためダイナミックレンジが大きく簡略な検波回路を構成することができる。
【０００８】
本発明の請求項２に記載の発明は、検波器としてダイオードを用いた平均値検波器で構成した請求項１に記載の検波回路であり、ダイオードを用いて平均値検波器を構成することにより、符号多重信号の検波回路においてもダイナミックレンジが大きく簡略な検波回路を構成することができる。
【０００９】
本発明の請求項３に記載の発明は、可変減衰器の入出力インピーダンスのリターンロスが共に１０ｄＢ以上である請求項１に記載の検波回路であり、ダイナミックレンジが大きく簡略な検波回路を構成することができる。
【００１０】
本発明の請求項４に記載の発明は、検波器と可変減衰器の間に電流供給用デバイスを接続した請求項１に記載の検波回路であり、可変減衰器への供給電流が大きくなっても検波器出力への影響が少ないので、ダイナミックレンジが大きく簡略な検波回路を構成することができる。
【００１１】
本発明の請求項５に記載の発明は、検波器の出力端子に電流供給用デバイスを接続し、この電流供給用デバイスの出力を可変減衰器にフィードバックする構成とした請求項１に記載の検波回路であり、可変減衰器や検波回路外部への供給電流が大きくなっても検波器出力への影響が少ないので、ダイナミックレンジが大きく簡略な検波回路を構成することができる。
【００１２】
【発明の実施の形態】
以下、本発明の実施の形態について説明する。
【００１３】
（実施の形態１）
図１は本発明の実施の形態１における検波回路の回路ブロック図である。
【００１４】
入力端子４から入力された信号は、可変減衰器１において減衰され、増幅器２において増幅されて検波器３に入力される。そして検波器３において検波されて出力電圧が出力端子５に出力すると共に、可変減衰器１にフィードバックされて検波回路を構成する。
【００１５】
検波器３はダイオードを用いて時々刻々変化する信号レベルの平均値を検出しピーク電力と平均値電力のレベル差に関わらず、検波器３への入力レベルを正確に検出することができる平均値検波器として構成している。
【００１６】
また、この平均値検波器を用いたことによって符号多重信号が入力された場合にも精度の高い検波が可能である。
【００１７】
図２に出力最大電圧を５Ｖとした場合の検波回路の入出力特性を示す。横軸は入力端子４へ入力される入力信号レベルであり、縦軸は出力端子５への出力電圧である。
【００１８】
フィードバックを行わない場合は特性２１に示すように、入力レベルが大きくなるにつれて出力電圧が大きくなり検波回路の入力信号のダイナミックレンジは、−３０ｄＢｍから−１０ｄＢｍの間の２０ｄＢとなる。
【００１９】
一方、可変減衰器１にフィードバックする構成を用いる場合の特性２２に示すように、出力電圧が可変減衰器１にフィードバックされて可変減衰器１の減衰量を変化させるので、入力端子４への入力レベルが小さい時には出力端子５の出力電圧が小さいので、可変減衰器１へフィードバックされる電圧も小さくなり、可変減衰器１の減衰量が小さくなるが、入力端子４への入力が大きくなるにつれて出力端子５の出力電圧が大きくなり、可変減衰器１へフィードバックされる電圧も大きくなるので可変減衰器１の減衰量も大きくなって、検波器３への入力信号が下がり出力端子５の出力電圧の増加が抑制される。
【００２０】
この回路構成を用いることによって検波回路のダイナミックレンジは、−３０ｄＢｍから０ｄＢｍの間の３０ｄＢとなり、可変減衰器１を用いない場合よりも更に１０ｄＢ拡大することができる。
【００２１】
しかし、図３に示すように可変減衰器１には減衰量が大きくなるにつれて入力および出力インピーダンスのリターンロスが小さくなる。
【００２２】
可変減衰器１を用いると増幅器２の入力インピーダンスのリターンロスが小さくなる。
【００２３】
図４は増幅器２の入力インピーダンスのリターンロスが変化した時の増幅器利得を示している。入力端子４への入力レベルが０ｄＢｍよりも大きくなると入力インピーダンスのリターンロスが１０ｄＢ未満になり増幅器２の利得が低下し、検波器３の入力電圧が正確に検出できなくなり出力端子５の出力電圧が低下する。
【００２４】
そこで、可変減衰器１に減衰量が変化しても入出力インピーダンスのリターンロスが共に１０ｄＢ以上である可変減衰器１を用いることによって、入力端子４への入力レベルが０ｄＢｍより大きくなってもリターンロスが１０ｄＢ以上でも増幅器２の利得が維持できるので図２に示す特性２３のように、検波回路のダイナミックレンジは、−３０ｄＢｍから５ｄＢｍの３５ｄＢとなり、１５ｄＢ拡大することができる。
【００２５】
（実施の形態２）
図５は本発明の実施の形態２における検波回路の回路ブロック図である。実施の形態１の回路ブロック図と同様の部分は同一番号を付して説明をする。
【００２６】
入力端子４から入力された信号は、可変減衰器１において減衰され、増幅器２において増幅されて検波器３に入力される。そして検波器３で検波された出力電圧が出力端子５に出力すると共に、電流供給用デバイス３１に入力されて可変減衰器１にフィードバックし検波回路を構成する。
【００２７】
可変減衰器１の減衰量が大きくなるにつれて検波器３からの出力電流が大きくなり検波器３の検波出力電流にバラツキが発生する。このため、検波器３から検波出力電流の精度を保ち供給可能な電流を供給するために、電流供給用デバイス３１は検波回路の検波出力精度を実用上問題ない範囲に収める機能を有している。
【００２８】
（実施の形態３）
図６は本発明の実施の形態３における検波回路の回路ブロック図である。実施の形態１の回路ブロック図と同様の部分は同一番号を付して説明する。
【００２９】
入力端子４から入力された信号は、可変減衰器１において減衰され、増幅器２において増幅されて検波器３に入力される。そして検波器３で検波された出力電圧を電流供給用デバイス４１に入力し、この電流供給用デバイス４１から出力端子５に出力すると共に可変減衰器１にフィードバックして検波回路を構成する。
【００３０】
この電流供給用デバイス４１を可変減衰器１と検波回路３の出力端子５へ電流を供給するように接続することで検波器３からの出力電圧を電流供給用デバイス４１でコントロールし常に適正な電流を可変減衰器１に供給することにより、検波回路の検波出力精度を安定させることができる。
【００３１】
【発明の効果】
以上のように検波器の出力を検波回路の入力に設けた可変減衰器へフィードバックして検波器の出力が大きくなるにつれて可変減衰器の減衰量が大きくなる構成としたことによって可変減衰器への外部制御無しにダイナミックレンジが大きく簡略な検波回路を構成することができる。
【図面の簡単な説明】
【図１】本発明の実施の形態１における検波回路の回路ブロック図
【図２】検波回路の入出力特性図
【図３】可変減衰器の特性図
【図４】増幅器利得の入力インピーダンスのリターンロス依存特性図
【図５】本発明の実施の形態２における検波回路の回路ブロック図
【図６】本発明の実施の形態３における検波回路の回路ブロック図
【図７】従来の検波回路ブロック図
【符号の説明】
１  可変減衰器
２  増幅器
３  検波器
４  入力端子
５  出力端子
２１  フィードバック回路を用いない場合の特性
２２  フィードバック回路を用いる場合の特性
２３  入力インピーダンスのリターンロスが１０ｄＢ以上の可変減衰器を用いる場合の特性
３１，４１  電流供給用デバイス
１０１  第１の可変減衰器
１０２  増幅器
１０３  検波器
１０４  平滑回路
１０６  比較器
１０７  第２の可変減衰器
１１０  入力端子
１１１  出力端子
１１２  出力レベル制御入力
【図１】
2004350079.tif 000003
【図２】
2004350079.tif 000004
【図３】
2004350079.tif 000005
【図４】
2004350079.tif 000006
【図５】
2004350079.tif 000007
【図６】
2004350079.tif 000008
【図７】
2004350079.tif 000009